(57)【要約】  容器内の飲料を加熱するための携帯用加熱ロッド及び該加熱ロッドを使用する方法が提供される。携帯用加熱ロッドは、ハンドル部と、長手方向に沿って該ハンドル部に結合された加熱部とを備える。ハンドル部は、断熱材料から作られている第１のハウジングと、制御インタフェースと、制御回路基板と、該第１のハウジング内部の電源とを含む。加熱部は、熱伝導性材料から作られている第２のハウジングと、少なくとも１つの発熱体と、少なくとも１つの温度センサとを含む。動作中、携帯用加熱ロッドの加熱部は、少なくとも部分的に飲料に浸漬される。【選択図】図１
2020533728.tif 000002
【特許請求の範囲】
【請求項１】
容器内の飲料を加熱するための携帯用加熱ロッドであって、
ハンドル部であって、
断熱材料から作られている第１のハウジングと、
制御インタフェースと、
制御回路基板と、
を含む、ハンドル部と、
長手方向に沿って前記ハンドル部に結合される加熱部であって、
熱伝導性材料から作られている第２のハウジングと、
前記第２のハウジング内部の電源と、
少なくとも１つの発熱体と、
少なくとも１つの温度センサと、
を含む、加熱部と、
を備え、
前記制御回路基板は、前記制御インタフェース、前記電源、前記少なくとも１つの発熱体、及び前記少なくとも１つの温度センサと電気的に接続し、前記制御インタフェースからの制御信号を前記少なくとも１つの発熱体を作動させるために送ること、及び前記少なくとも１つの温度センサからの温度信号を前記制御インタフェースに表示させるために送ることができ、
動作中、前記携帯用加熱ロッドの加熱部は、少なくとも部分的に前記飲料に浸漬される、携帯用加熱ロッド。
【請求項２】
前記ハンドル部は、前記制御回路と電気的に接続する電力インタフェースをさらに含み、前記電源は、前記電力インタフェースを介して外部電源によって駆動又は再充電できる、請求項１に記載の携帯用加熱ロッド。
【請求項３】
前記制御インタフェースは、タッチスクリーンである、請求項１に記載の携帯用加熱ロッド。
【請求項４】
前記加熱部は、前記少なくとも１つの発熱体を前記少なくとも１つの温度センサ及び／又は前記電源から断熱するための少なくとも１つの断熱材をさらに含む、請求項１に記載の携帯用加熱ロッド。
【請求項５】
前記少なくとも１つの断熱材は、前記長手方向に沿って前記少なくとも１つの発熱体の近位端及び／又は遠位端に配置される、請求項４に記載の携帯用加熱ロッド。
【請求項６】
前記加熱部は、前記少なくとも１つの発熱体から前記第２のハウジングに熱を伝達するための少なくとも１つの熱伝導体をさらに含む、請求項４に記載の携帯用加熱ロッド。
【請求項７】
前記少なくとも１つの熱伝導体は、前記少なくとも１つの発熱体の周りで前記少なくとも１つの発熱体と前記第２のハウジングとの間に配置される、請求項６に記載の携帯用加熱ロッド。
【請求項８】
前記加熱部は、前記少なくとも１つの発熱体に隣接する第１の１又は２以上の温度センサを備える、請求項１に記載の携帯用加熱ロッド。
【請求項９】
前記加熱部は、前記第２のハウジングの遠位端において前記第２のハウジングと接触する第２の１又は２以上の温度センサを備える、請求項１に記載の携帯用加熱ロッド。
【請求項１０】
前記少なくとも１つの発熱体、前記少なくとも１つの断熱材、及び前記少なくとも１つの熱伝導体は、前記加熱部の遠位端の近くに配置され、前記電源は、前記少なくとも１つの発熱体、前記少なくとも１つの断熱材、及び前記少なくとも１つの熱伝導体に近接して配置される、請求項６に記載の携帯用加熱ロッド。
【請求項１１】
容器内の飲料を加熱するための携帯用加熱ロッドであって、
ハンドル部であって、
断熱材料から作られている第１のハウジングと、
制御インタフェースと、
制御回路基板と、
を含むハンドル部と、
長手方向に沿って前記ハンドル部に結合された加熱部であって、
熱伝導性材料から作られている第２のハウジングと、
少なくとも１つの発熱体と、
少なくとも１つの温度センサと、
を含む加熱部と、
電源と、
前記ハンドル部から延びることができる複数の脚部と、
を備え、
前記複数の脚部は、
前記複数の脚部が前記ハンドル部から離れて延びて作業面上で前記加熱ロッドを支持する拡張形態と、
前記複数の脚部が前記ハンドル部に格納される格納形態と、
の間で切り替わることができるように構成される、携帯用加熱ロッド。
【請求項１２】
前記複数の脚部は、概して横方向及び半径方向に、前記ハンドル部から拡張すること及び前記ハンドル部に格納することができる、請求項１１に記載の携帯用加熱ロッド。
【請求項１３】
前記複数の脚部は、前記ハンドル部に対して概して長手方向に摺動可能である、請求項１１に記載の携帯用加熱ロッド。
【請求項１４】
前記加熱部は、前記複数の脚部と一緒に拡張すること又は格納されることができる、請求項１３に記載の携帯用加熱ロッド。
【請求項１５】
前記複数の脚部は、前記ハンドル部に対して旋回可能である、請求項１２又は１３に記載の携帯用加熱ロッド。
【請求項１６】
前記複数の脚部の各々は、前記それぞれの脚部に対して伸長することができる延長部を備える、請求項１２又は１３に記載の携帯用加熱ロッド。
【請求項１７】
前記複数の脚部のうちの少なくとも１つは、内部に電源を備える、請求項１２に記載の携帯用加熱ロッド。
【請求項１８】
前記ハンドル部は、前記第１のハウジング内部に電源を備える、請求項１３に記載の携帯用加熱ロッド。
【請求項１９】
前記複数の脚部のうちの少なくとも１つは、内部にＵＶ光源を備える、請求項１２に記載の携帯用加熱ロッド。
【請求項２０】
前記ハンドル部は、前記第１のハウジングの内部でその底部にＵＶ光源を備える、請求項１３に記載の携帯用加熱ロッド。
【請求項２１】
前記ハンドル部は、前記脚部の結合手段を受け取って、前記複数の脚部の横方向及び半径方向の移動を可能にする３又は４以上のスロットを備える、請求項１２に記載の携帯用加熱ロッド。
【請求項２２】
前記結合手段は、段付きタブ形状を有する、請求項２１に記載の携帯用加熱ロッド。
【請求項２３】
前記ハンドル部は、前記複数の脚部及び前記加熱部を収容して、前記複数の脚部及び前記加熱部の長手方向の移動を同期させるための連結手段を内部に備える、請求項１４に記載の携帯用加熱ロッド。
【請求項２４】
前記連結手段は、中央アパーチャと、各々が側方ノッチを有する３又は４以上の円周分岐部とを備える、請求項２３に記載の携帯用加熱ロッド。
【発明の詳細な説明】
【技術分野】
【０００１】
本発明は、概して、携帯用加熱デバイスに関し、具体的には、内蔵型バッテリを有する浸漬加熱ロッドに関する。
【０００２】
（関連出願の相互参照）
本出願は、２０１７年９月１３日出願の米国特許出願第１５／７０３，６７１号「ＰＯＲＴＡＢＬＥ  ＨＥＡＴＩＮＧ  ＲＯＤ（携帯用加熱ロッド）」の優先権及び利益を主張するものであり、その開示内容全体は、引用により本明細書に組み込まれる。
【背景技術】
【０００３】
屋外で使用される高温の、温かい、又は冷たい水又は飲料が常に必要とされている。例えば、母親は、ミルクを入れるために又は乳児に授乳するのに冷蔵保管された母乳を温め直すために温水又は暖水を必要とする場合があり、野外活動好きの人は、コーヒーを入れるために又はインスタントラーメンを調理するために温水又は暖水を必要とする場合がある。この問題に対する従来の解決策は、真空容器に温水を入れることである。しかしながら、真空容器により荷物が重くなり、温水は数時間で冷たくなる。従って、小型軽量で取り扱いが容易な携帯用ヒーターを持つことが望ましい。
【０００４】
屋外で使用される携帯用ヒーターのように、外部電源は通常利用できないので、通常、電源を組み込むことが必要である。従来の解決策は、燃料ガスを使用する携帯用調理器具である。しかしながら、このような携帯用調理器具及び燃料ガスは、持ち運ぶのに又は使用するのに不便である。バッテリなどの電源は、燃料ガスと比較してより好都合に使用することができる。しかしながら、バッテリは、通常、大きな空間を占め、ヒーターが大型になる。バッテリを有する携帯用ヒーターの別の問題は、安全性である。バッテリは、一般に、可能性のある爆発の危険性を回避するために、ヒーターから離しておくべきである。このことにより、バッテリを携帯用ヒーターに組み込むことは更に困難になる。
【発明の概要】
【課題を解決するための手段】
【０００５】
従って、上述の欠点及び問題のうちの少なくとも一部を排除又は軽減する携帯用ヒーターの必要性が存在する。
【０００６】
特定の実施形態において、本開示は、容器内の飲料を加熱するための携帯用加熱ロッドに関し、該携帯用加熱ロッドは、ハンドル部と、長手方向に沿って該ハンドル部に結合された加熱部とを備え、ハンドル部は、断熱材料から作られている第１のハウジングと、制御インタフェースと、制御回路基板と、第１のハウジング内部の電源とを含み、加熱部は、熱伝導性材料から作られている第２のハウジングと、少なくとも１つの発熱体と、少なくとも１つの温度センサとを含み、制御回路基板は、制御インタフェース、電源、少なくとも１つの発熱体、及び少なくとも１つの温度センサと電気的に接続し、制御インタフェースからの制御信号を少なくとも１つの発熱体を制御するために送ること、及び少なくとも１つの温度センサからの温度信号を制御インタフェースに表示するために送ることができ、動作中、携帯用加熱ロッドの加熱部は、少なくとも部分的に飲料に浸漬される。
【０００７】
特定の実施形態において、ハンドル部は、制御回路と電気的に接続する電力インタフェースをさらに含み、電源は、電力インタフェースを介して外部電源によって駆動又は再充電できる。
【０００８】
特定の実施形態において、制御インタフェースは、タッチスクリーンである。
【０００９】
特定の実施形態において、加熱部は、少なくとも１つの発熱体を少なくとも１つの温度センサ及び／又は電源から断熱するための少なくとも１つの断熱材をさらに含む。
【００１０】
特定の実施形態において、少なくとも１つの断熱材は、長手方向に沿って少なくとも１つの発熱体の近位端及び／又は遠位端に配置される。
【００１１】
特定の実施形態において、加熱部は、少なくとも１つの発熱体から第２のハウジングに熱を伝達するための少なくとも１つの熱伝導体をさらに含む。
【００１２】
特定の実施形態において、少なくとも１つの熱伝導体は、少なくとも１つの発熱体の周りで該少なくとも１つの発熱体と第２のハウジングとの間に配置される。
【００１３】
特定の実施形態において、加熱部は、少なくとも１つの発熱体に隣接する第１の１又は２以上の温度センサを備える。
【００１４】
特定の実施形態において、加熱部は、第２のハウジングの遠位端において該ハウジングと接触する第２の１又は２以上の温度センサを備える。
【００１５】
特定の実施形態において、少なくとも１つの発熱体、少なくとも１つの断熱材、及び少なくとも１つの熱伝導体は、加熱部の遠位端の近くに配置され、電源は、少なくとも１つの発熱体、少なくとも１つの断熱材、及び少なくとも１つの熱伝導体に近接して配置される。
【００１６】
特定の実施形態において、携帯用加熱ロッドは更に、該携帯用加熱ロッドを容器に固定するための係合手段を備える。
【００１７】
特定の実施形態において、容器内の飲料を加熱するための携帯用加熱ロッドが提供され、該携帯用加熱ロッドは、断熱材料から作られている第１のハウジングと、制御インタフェースと、制御回路基板とを含むハンドル部と、熱伝導性材料から作られている第２のハウジングと、少なくとも１つの発熱体と、少なくとも１つの温度センサとを含み、長手方向に沿って該ハンドル部に結合されている加熱部と、電源と、ハンドル部から延びることができる複数の脚部と、を備え、該複数の脚部は、複数の脚部がハンドル部から離れて延びて作業面上で加熱ロッドを支持する拡張形態と、複数の脚部がハンドル部に格納される格納形態との間で切り替わることができるように構成される。
【００１８】
特定の実施形態において、複数の脚部は、概して横方向で半径方向にハンドル部から拡張すること及びハンドル部に格納することができる。
【００１９】
特定の実施形態において、複数の脚部は、ハンドル部に対して概して長手方向に摺動可能である。
【００２０】
特定の実施形態において、加熱部は、複数の脚部と一緒に拡張すること又は格納されることができる。
【００２１】
特定の実施形態において、複数の脚部は、ハンドル部に対して旋回可能である。
【００２２】
特定の実施形態において、複数の脚部の各々は、それぞれの脚部に対して伸長することができる延長部を備える。
【００２３】
特定の実施形態において、複数の脚部のうちの少なくとも１つは、内部に電源を備える。
【００２４】
特定の実施形態において、ハンドル部は、第１のハウジング内部に電源を備える。
【００２５】
特定の実施形態において、複数の脚部のうちの少なくとも１つは、内部にＵＶ光源を備える。
【００２６】
特定の実施形態において、ハンドル部は、第１のハウジングの内部でその底部にＵＶ光源を備える。
【００２７】
特定の実施形態において、ハンドル部は、脚部の結合手段を受け取って、複数の脚部の横方向及び半径方向の移動を可能にする３又は４以上のスロットを備える。
【００２８】
特定の実施形態において、結合手段は、段付きタブ形状を有する。
【００２９】
特定の実施形態において、ハンドル部は、複数の脚部及び加熱部を収容して、複数の脚部及び加熱部の長手方向の移動を同期させるための連結手段を内部に備える。
【００３０】
特定の実施形態において、連結手段は、中央アパーチャと、各々が側方ノッチを有する３又は４以上の円周分岐部とを備える。
【００３１】
特定の実施形態において、本開示は、上述の携帯用加熱ロッドを用いて容器内の飲料を加熱する方法に関し、本方法は、第１のパターンで制御インタフェースと相互作用することによって携帯用加熱ロッドをオンにする段階と、飲料温度を測定して、該測定された飲料温度を制御インタフェースに表示する段階と、第２のパターンで制御インタフェースと相互作用することによって、少なくとも１つの発熱体が飲料を加熱する加熱モードをアクティブにする段階と、第３のパターンで制御インタフェースと相互作用することによって、加熱モードを非アクティブにして、少なくとも１つの発熱体が飲料を或る温度に保つ保温モードをアクティブにする段階と、第４のパターンで制御インタフェースと相互作用することによって携帯用加熱ロッドをオフにする段階と、を含む。
【００３２】
特定の実施形態において、制御インタフェースは、測定された異なる飲料温度に応じて異なる色を表示する。
【００３３】
特定の実施形態において、本方法は、飲料が保温温度まで加熱されたときに、携帯用加熱ロッドが自動的に加熱モードから保温モードに切り替わるように、第５のパターンで制御インタフェースと相互作用することによって、ユーザがカスタマイズした温度を保温温度として記録する段階をさらに含む。
【００３４】
特定の実施形態において、第１のパターン、第２のパターン、第３のパターン、第４のパターン、及び第５のパターンは、１回の短いタッピング、２回の短いタッピング、２回より多い短いタッピング、１秒間の長いタッピング、２秒間の長いタッピング、３秒間の長いタッピング、３秒より長い期間の長いタッピングからなるグループから選択される。
【００３５】
添付図面は、本開示の上記及び他の態様、利点及び特徴を更に例示してそれを明確にするための図面を含む。これらの図面は、単に、本開示の特定の実施形態を示すものであり、本開示の範囲を限定することを意図するものではないことが理解されるであろう。また、これらの図面は、必ずしも縮尺通りに作図されたものではないことが理解されるであろう。ここで、本開示は、添付図面を使用して、更なる具体性及び詳細を伴って記載され説明される。
【図面の簡単な説明】
【００３６】
【図１】本開示の特定の実施形態による携帯用加熱ロッドである。
【図２】本開示の特定の実施形態による携帯用加熱ロッドの断面図である。
【図３】本開示の特定の実施形態による携帯用加熱ロッドの遠位部の断面図である。
【図４】本開示の特定の実施形態による係合手段によって容器に結合された本開示の特定の実施形態による携帯用加熱ロッドである。
【図５ａ】拡張形態での本開示の特定の実施形態による携帯用加熱ロッドの概略図である。
【図５ｂ】拡張形態での本開示の特定の実施形態による携帯用加熱ロッドの概略図である。
【図５ｃ】拡張形態での本開示の特定の実施形態による携帯用加熱ロッドの概略図である。
【図５ｄ】格納形態での携帯用加熱ロッドの概略図である。
【図５ｅ】格納形態での携帯用加熱ロッドの概略図である。
【図５ｆ】格納形態での携帯用加熱ロッドの概略図である。
【図６】脚部が作業面上にある状態で容器の上に配置された本開示の特定の実施形態による携帯用加熱ロッドである。
【図７】本開示の特定の実施形態による携帯用加熱ロッドの脚部の拡大図である。
【図８】本開示の特定の実施形態による携帯用加熱ロッドの分解組み立て図である。
【図９ａ】格納形態での本開示の特定の実施形態による携帯用加熱ロッドの概略図である。
【図９ｂ】拡張形態での携帯用加熱ロッドの概略図である。
【図９ｃ】拡張形態での携帯用加熱ロッドの概略図である。
【図９ｄ】拡張形態での携帯用加熱ロッドの概略図である。
【図１０ａ】本開示の特定の実施形態による携帯用加熱ロッドのハンドル部の断面図である。
【図１０ｂ】本開示の特定の実施形態による携帯用加熱ロッドのハンドル部の断面図である。
【図１１ａ】本開示の特定の実施形態による携帯用加熱ロッドの制御インタフェースによって提供される表示例である。
【図１１ｂ】本開示の特定の実施形態による携帯用加熱ロッドの制御インタフェースによって提供される表示例である。
【図１１ｃ】本開示の特定の実施形態による携帯用加熱ロッドの制御インタフェースによって提供される表示例である。
【図１１ｄ】本開示の特定の実施形態による携帯用加熱ロッドの制御インタフェースによって提供される表示例である。
【発明を実施するための形態】
【００３７】
本開示は、概して、飲料を加熱する又は温めるための携帯用加熱ロッドに関する。しかしながら、本開示の原理は、このような用途に限定されるものではない。本開示を踏まえると、本明細書に開示された携帯用加熱ロッドは、例えば、手及びその他の身体部分を温めることなどの他の加熱又は加温目的に首尾よく使用できることも理解されるであろう。本明細書に開示された携帯用加熱ロッドは、交換冷却要素を用いて、例えば、冷却目的で首尾よく使用することもできる。
【００３８】
更に、構造的構成の説明を助けるために、長手方向、近位、遠位、上部、下部などの用語が使用される。近位端又は上端は、携帯用加熱ロッドが直立位置で使用されているときの上側端部であり、一方、遠位端又は下端は、携帯用加熱ロッドが直立位置で使用されているときの下側端部である。これらの用語は、その文脈上の用法により他の意味が示されない限り、本明細書において、構造的、機能的、又は操作的な意味を有するものとしてではなく、単に、任意に選択された向きを示すものとして理解される。
【００３９】
構造的構成
図１に示されているように、本開示の携帯用加熱ロッド１は、一般に、ハンドル部２及び加熱部３を備える２つの要素の形状を有する。これら２つの部分の各々は、管状形状を有するで、これらの部分は、一緒にロッドを形成する。ロッドが、このロッドの長手方向軸に沿って一定の直径を有する必要はない。特定の実施形態において、ハンドル部２は、加熱部３よりも大きい直径を有することができる。携帯用加熱ロッド１の他の好適な形状及び構成が、同様に本開示の意図の範囲内に含まれる。携帯用加熱ロッド１は、液体で満たされた容器内に配置されるのに適するような大きさであり、加熱部３が少なくとも部分的に液体に浸漬され、ユーザがハンドル部２にアクセスできる。このような液体は、ミルク、具体的は、粉ミルク若しくは母乳から造られた乳児用ミルク、コーヒー、紅茶、又は消費前に加熱する必要がある何らかの他の飲料などの飲料とすることができる。このような容器は、哺乳瓶、カップ、グラス、ティーポット、又はその他の何らかの携帯用容器とすることができる。特定の実施形態において、携帯用加熱ロッド１は、１０ｍｍから５０ｍｍ、１５ｍｍから４５ｍｍ、２０ｍｍから４０ｍｍ、又は２５ｍｍから３５ｍｍ、具体的には、１２ｍｍ、１４ｍｍ、１６ｍｍ、１８ｍｍ、２２ｍｍ、２４ｍｍ、２６ｍｍ、２８ｍｍ、３０ｍｍ、３２ｍｍ、３４ｍｍ、３６ｍｍ、３８ｍｍ、４２ｍｍ、４４ｍｍ、４６ｍｍ、又は４８ｍｍの外径を有する。特定の実施形態において、携帯用加熱ロッド１は、５０ｍｍから３００ｍｍ、６０ｍｍから２９０ｍｍ、７０ｍｍから２８０ｍｍ、８０ｍｍから２７０ｍｍ、９０ｍｍから２６０ｍｍ、１００ｍｍから２５０ｍｍ、１１０ｍｍから２４０ｍｍ、１２０ｍｍから２３０ｍｍ、１３０ｍｍから２２０ｍｍ、１４０ｍｍから２１０ｍｍ、１５０ｍｍから２００ｍｍ、１６０ｍｍから１９０ｍｍ、又は１７０ｍｍから１８０ｍｍ、具体的には、５５ｍｍ、６５ｍｍ、７５ｍｍ、８５ｎｎ、９５ｍｍ、１０５ｍｍ、１１５ｍｍ、１２５ｍｍ、１３５ｍｍ、１４５ｍｍ、１５５ｍｍ、１６５ｍｍ、１７５ｍｍ、１８５ｍｍ、１９５ｍｍ、２０５ｍｍ、２１５ｍｍ、２２５ｍｍ、２３５ｍｍ、２４５ｍｍ、２５５ｍｍ、２６５ｍｍ、２７５ｍｍ、２８５ｍｍ、又は２９５ｍｍの長さを有する。特定の実施形態において、ハンドル部２の長さと加熱部３の長さとの間の比率は、１：１０、１：９、１：８、１：７、１：６、１：５、１：４、１：３、又は１：２である。
【００４０】
ハンドル部２は、断熱材料から作られている第１のハウジング２１を備える。特定の実施形態において、ハンドル部２の第１のハウジング２１は、プラスチック、セラミック、又はそれらの組み合わせから作られている。加熱部３は、熱伝導性材料から作られている第２のハウジング３１を備える。熱伝導性材料はまた、食品グレードの材料である必要があり、このことは、この材料が、直接接触するか又は近くに位置することにより有害物質で食品を汚染しないことを意味する。特定の実施形態において、加熱部３の第２のハウジング３１は、チタン、ステンレス鋼、又はそれらの組み合わせから作られている。特定の実施形態において、第２のハウジング３１は、１つの一体部品として形成される。
【００４１】
ハンドル部２及び加熱部３は、図２に示されているように互いに結合される。特定の実施形態において、ハンドル部２は、加熱部３に固定、スナップ嵌め、ねじ留め、接着、熱接合、又は当技術分野で公知の何らかの他の手段によって結合することができる。特定の実施形態において、ハンドル部２は、防水様式で加熱部３に結合され、液体又は蒸気は、これらハンドル部と加熱部との間の接合部を通ってハンドル部２又は加熱部３の内部空間に入り込むことができない。特定の実施形態において、ハンドル部２の第１のハウジング２１の遠位端は、加熱部３の第２のハウジング３１の近位端に結合される。これらの端部の間にシールを設けることができる。シールは、シールリング、ラビリンスシール、接触シール、又は当技術分野において公知の何らかの他の種類のシールとすることができる。
【００４２】
ハンドル部２の第１のハウジング２１は、内部空間を規定し、携帯用加熱ロッド１の様々な構成要素は、第１のハウジング２１上又はその内部に配置することができる。特定の実施形態において、ハンドル部２は、ハンドル部２の第１のハウジング２１に制御インタフェース２２をさらに備えることができる。特定の実施形態において、制御インタフェース２２は、ハンドル部２の第１のハウジング２１の近位端又は上端に設けることができるタッチスクリーンである。タッチスクリーン２２は、ユーザの制御信号を受け取ってタッチスクリーン２２上に制御情報を表示する。特定の実施形態において、制御インタフェース２２は、通常の画面及び物理的なボタン又はスイッチを提供することができる。さらに特定の実施形態において、ハンドル部２の第１のハウジング２１は、それ自体、例えば、第２のハウジング３１に対して第１のハウジング２１を回転（時計回り及び／又は反時計回り）及び／又は平行移動（近位方向及び／又は遠位方向）させることによって、ユーザの指示を受け取る制御インタフェース２２として機能することができる。
【００４３】
特定の実施形態において、ハンドル部２は、第１のハウジング２１に電力インタフェース２３をさらに備えることができる。特定の実施形態において、電力インタフェース２３は、ＵＳＢ、ミニＵＳＢ、マイクロＵＳＢ、ＵＳＢタイプＣ、Ｌｉｇｈｔｎｉｎｇ（ライトニング）、Ｔｈｕｎｄｅｒｂｏｌｔ（サンダーボルト）、ピン、又は当技術分野で公知の何らかの他の電力インタフェースである。電力インタフェース２３は、ＡＣ電源、ＤＣ電源、充電器、電力バンク、又は当技術分野で公知の何らかの他の電源などの外部電源（図示せず）から電源入力を受け取る。特定の実施形態において、電力インタフェース２３は、ダスト、液体、蒸気、又はその他の何らかの望ましくない汚染物質が、ハンドル部２の電力インタフェース２３及び内部空間に入り込むことを防止するためのシーリング手段２５を有する。特定の実施形態において、シーリング手段２５は、電力インタフェース２３が外部デバイスに接続されている間、電力インタフェース２３から取り外すことができ、この接続が切断された後、この電力インタフェース２３に再度取り付けられてそれをシールすることができる。
【００４４】
また、特定の実施形態において、電力インタフェース２３は、データインタフェースとして機能することもできる。データインタフェース２３は、パーソナルコンピュータ、ラップトップ、携帯電話機、又は当技術分野で公知の何らかの他のコンピューティングデバイスなどの外部コンピューティングデバイス（図示せず）との携帯用加熱ロッド１のデータ通信を可能にする。このデータ通信は、例えば、携帯用加熱ロッド１のソフトウェア若しくはファームウェアの更新、ユーザ設定プロファイルのダウンロード、又は分析、診断及び使用情報のアップロードを可能にすることができる。特定の実施形態において、データインタフェースは、電力インタフェース２３とは異なる。例えば、データインタフェースは、Ｗｉ−Ｆｉ、Ｂｌｕｅｔｏｏｔｈ（登録商標）、ＺｉｇＢｅｅ（登録商標）、ＮＦＣ、又は当技術分野で公知の何らかの他のプロトコルなどの無線インタフェースとすることができる。
【００４５】
特定の実施形態において、ハンドル部２は、第１のハウジング２１の内部に制御回路基板２４をさらに備えることができる。制御回路基板２４は、制御インタフェース２２及び電力インタフェース２３と、さらに存在する場合にはデータインタフェースと電気的に接続するように構成される。特定の実施形態において、制御回路基板２４は、制御インタフェース２２から制御信号を受け取り、このような制御信号を解釈して、かかる信号を、本明細書で説明する発熱体などの携帯用加熱ロッド１の他の適切な構成要素に中継し、さらに制御回路基板２４は、動作モード、電源状態、温度などの表示するための制御情報を制御インタフェース２２に送り返す。特定の実施形態において、制御回路基板２４は、電力インタフェース２３から電源入力を受け取り、必要な場合にこのような電源入力を変換し、かかる入力を、本明細書で説明するバッテリなどの携帯用加熱ロッド１の他の適切な構成要素に中継する。特定の実施形態において、制御回路基板２４は、データインタフェースからデータ入力を受け取り、このようなデータを解釈して、かかるデータを、本明細書で説明する制御インタフェース２２などの携帯用加熱ロッド１の他の適切な構成要素に中継する。特定の実施形態において、制御回路基板２４は、ファームウェア、ソフトウェア、ユーザプロファイル、ユーザ命令、及び／又はその他の何らかの好適なデータを格納するためのメモリ（図示せず）を備える。
【００４６】
加熱部３の第２のハウジング３１は、内部空間を規定し、携帯用加熱ロッド１の様々な構成要素は、第２のハウジング３１上又はその内部に配置することができる。特定の実施形態において、加熱部３は、加熱部３の第２のハウジング３１の内部に少なくとも１つの発熱体３２をさらに備えることができる。少なくとも１つの発熱体３２は、加熱部３の遠位端の近くに配置される。このことは、携帯用加熱ロッド１が容器の飲料に浸漬された場合に、容器が満杯であるか、半分満杯であるか、又はさらに少ないか否かにかかわらず、少なくとも１つの発熱体３２が、飲料の水位の下にある可能性が高いという利点を有する。また、例えばバッテリを収容するなどの他の用途のために、第２のハウジングの近位部分に大きな内部空間を残すという利点も有する。特定の実施形態において、少なくとも１つの発熱体３２は、抵抗ヒーター、電磁ヒーター、赤外線ヒーター、又は当技術分野で公知の何らかの他の種類のヒーターである。特定の実施形態において、少なくとも１つの発熱体３２は、ペルチェ素子などの冷却器である。特定の実施形態において、少なくとも１つの発熱体３２は、長手方向に沿って断熱される。この断熱は、少なくとも１つの発熱体３２の近位端及び／又は遠位端に配置された少なくとも１つの断熱材３３によってもたらすことができる。少なくとも１つの断熱材３３は、第２のハウジングの内部空間の実質的に全断面に広がることができる。少なくとも１つの断熱材３３は、少なくとも１つの発熱体３２からの、長手方向に沿った近位方向及び／又は遠位方向の熱伝達を低減又は防止する。特定の実施形態において、少なくとも１つの発熱体３２は、横方向で第２のハウジング３１と熱的に連通する。この熱的連通は、少なくとも１つの発熱体３２の実質的に全周囲の周りの少なくとも１つの熱伝導体３４によって、第２のハウジング３１と少なくとも１つの発熱体３２との間でもたらされる。図３に示す特定の実施形態において、少なくとも１つの熱伝導体３４は、第２のハウジングの内部で、少なくとも１つの発熱体３２の近位端にある少なくとも１つの断熱材３３と少なくとも１つの発熱体３２の遠位端にある少なくとも１つの断熱材３３との間の全空間を満たす。少なくとも１つの熱伝導体３４は、少なくとも１つの発熱体３２から加熱部３の第２のハウジング３１への横方向への熱伝達を助長するか又はそれを高める。従って、選択的熱伝達経路は、横方向に確立される。少なくとも１つの発熱体３２から生じた熱の大部分は、少なくとも１つの発熱体３２と同じ長手方向位置にある加熱部３の第２のハウジング３１の部分に伝達される。第２のハウジング３１のこの部分は、最高温度（すなわち、最大発熱）を有し、容器の飲料と直接接触してこの飲料を加熱する。また、熱の一部は、少なくとも１つの発熱体３２と同じ長手方向位置にある第２のハウジング３１の部分から第２のハウジング３１に沿って近位方向及び遠位方向の両方に第２のハウジング３１の残りの部分に伝達される。また、第２のハウジング３１の残りの部分の大部分は、容器の飲料と直接接触するので、熱が伝達されて、飲料が加熱されることになる。他方では、少なくとも１つの発熱体３２から生じた熱のごくわずかな又は無視できる部分のみが、第２のハウジング３１の内部で長手方向に沿って伝達されるので、少なくとも１つの発熱体３２から、少なくとも１つの発熱体３２の近位又は遠位にある第２のハウジング３１の内部の構成要素（例えば、本明細書で説明するバッテリ及び温度センサ）への熱の影響は、最小にすることができる。このようにして、バッテリは、本開示の携帯用加熱ロッド１に組み込まれている場合でも安全作動温度のままである。従って、内蔵型バッテリを有する小型携帯用加熱ロッド１は、安全性の問題を伴わずに可能である。同様に、温度センサの測定値は、少なくとも１つの発熱体からの熱によって直接影響を受けず、従って、飲料温度のより正確な測定値が得られる。
【００４７】
少なくとも１つの断熱材３３は、発泡材料、ガラス繊維、エアロゲルブランケット、真空プレート、当技術分野で公知の何らかの他の断熱材料又は構造体、或いはそれらの組み合わせとすることができる。少なくとも１つの熱伝導体３４は、金属、グラフェン、シリコーングリース、冷却油、当技術分野で公知の何らかの他の熱伝導性材料又は構造体、或いはそれらの組み合わせとすることができる。
【００４８】
特定の実施形態において、第２のハウジング３１は、少なくとも２つの異なる材料から形成される。少なくとも１つの発熱体３２と同じ長手方向位置にある第２のハウジング３１の部分は、熱伝導性材料から作られているが、第２のハウジング３１の残りの部分は、断熱材料から作られている。
【００４９】
特定の実施形態において、加熱部３は、さらに電源３５を備えることができる。電源３５は、外部電源から電力インタフェース２３を通じて入力される電力を使用して電源３５を駆動又は充電できるように、ハンドル部２の制御回路基板２４と電気的に接続する。電源３５の大部分又は全体は、少なくとも１つの発熱体３２に近接して第２のハウジング３１の内部に収容される。特定の実施形態において、少なくとも１つの発熱体３２に近接する第２のハウジング３１の内部のほとんどの内部空間を占めることができるように、電源３５は、ロッド形状であり、第２のハウジング３１によって規定される内部空間の断面寸法よりわずかに小さい断面寸法を有する。大型の電源は、通常、より大きな電力容量と、携帯用加熱ロッド１のより長い使用時間とをもたらす。電源３５を第２のハウジング３１に組み込むことによって、本開示は、非常に小型の携帯用加熱ロッド１を提供することができる。しかしながら、電源３５の他の形状及び寸法が、同様に本開示の意図の範囲内に含まれる。前述のように、少なくとも１つの断熱材３３は、少なくとも１つの発熱体３２から長手方向に沿って近位方向への熱伝達を低減又は防止する。従って、電源３５は、少なくとも１つの断熱材３３によって少なくとも１つの発熱体３２から断熱される。このことは、電源３５が、少なくとも１つの発熱体３２の近くに配置され、部分的に、加熱される飲料の水位の下に存在する可能性がある場合でさえ、電源３５の安全性を高める。特定の実施形態において、電源３５を第２のハウジング３１の周囲部分から断熱するために、追加の断熱材（図示せず）を設けることができる。特定の実施形態において、追加の断熱材は、電源３５の実質的な長さ又は全長に沿って長手方向に電源３５を閉じ込めてこの電源を断熱する。
【００５０】
電源３５は、単３又は単４バッテリなどの交換式バッテリ、又はＮｉ−Ｃｄ充電式バッテリ、Ｎｉ−ＭＨ充電式バッテリ、Ｌｉイオン充電式バッテリ、Ｌｉポリマー充電式バッテリ、又は当技術分野で公知の何らかの他の種類の充電式バッテリとすることができる。特定の実施形態において、電源３５は、特別に設計されたＬｉＨＶ充電式バッテリである。充電式バッテリ３５は、少なくとも１つの発熱体３２、充電式バッテリ３５自体、及び携帯用加熱ロッド１の何らかの他の電力消費要素から生じた熱にもかかわらず安定するように構成される。特定の実施形態において、充電式バッテリ３５は、何らかの短絡が存在する場合、及び／又はバッテリ３５が危険な温度又は状態に達した場合に、電力を遮断するための保護手段（図示せず）を備える。特定の実施形態において、この保護手段は、制御回路基板２４と一体にすることができる。
【００５１】
特定の実施形態において、加熱部３は、少なくとも１つの温度センサ３６をさらに備えることができる。少なくとも１つの温度センサ３６は、測定された温度を制御回路基板２４に伝達してフィードバック制御を行うことができるように、ハンドル部２の制御回路基板２４と電気的に接続する。特定の実施形態において、少なくとも１つの温度センサ３６のうちの第１の１又は２以上の温度センサ３６が少なくとも１つの発熱体３２に隣接して設けられ、少なくとも１つの発熱体３２の温度を監視することができる。例えば、第１の１又は２以上の温度センサ３６は、図３に示されているように、少なくとも１つの熱伝導体３４に組み込むことができる。特定の実施形態において、少なくとも１つの温度センサ３６のうちの第２の１又は２以上の温度センサ３６が設けられ、加熱される飲料の温度、又は加熱される飲料の温度と推定される第２のハウジング３１の温度を監視することができる。第２の１又は２以上の温度センサ３６は、例えば、第２のハウジング３１に沿って長手方向に第２のハウジング３１の遠位端又は底部に、或いはそれらの組み合わせで配置することができる。特定の実施形態において、第２の１又は２以上の温度センサ３６は、図３に示されているように、第２のハウジング３１の内部にありそれと直接接触して第２のハウジング３１の遠位端において少なくとも１つの断熱材３３に組み込まれるか、又は第２の１又は２以上の温度センサ３６は、少なくとも部分的に第２のハウジング３１から突出することができる。前述のように、少なくとも１つの断熱材３３は、少なくとも１つの発熱体３２から長手方向に沿って遠位方向への熱伝達を低減又は防止する。従って、少なくとも１つの温度センサ３６は、少なくとも１つの断熱材３３によって少なくとも１つの発熱体３２から断熱され、その測定値は、直接影響を受けない。
【００５２】
特定の実施形態において、携帯用加熱ロッド１は、容器の内部に配置することができ、この容器の縁部にもたれ掛かる。代替的に、加熱部３は、係合手段５をさらに備えることができる。係合手段５は、携帯用加熱ロッド１を、飲料を含む容器６に固定するのを助ける。このことは、容器６と加熱部３の第２のハウジング３１との間の直接接触を防止することが望ましい場合に、例えば、容器６が比較的低い融点を有するプラスチックから作製されている場合に、特に有用である。係合手段５は、第１のハウジング２１の一部分とすること、又は携帯用加熱ロッド１及び容器６に取り外し可能に結合することができる。特定の実施形態において、係合手段５は、図４に示されているように、容器５のボトルネック（瓶の首部）の上に置くことができ、中央開口部を有するディスクであり、中央開口部は、これを貫通して携帯用加熱ロッド１を飲料７の中に吊り下げるためのものである。ハンドル部２は、携帯用加熱ロッド１の加熱部３よりも大きな直径を有することができるので、ディスク５の開口部は、ハンドル部２を保持するようにサイズ設定される。また、係合手段５は、例えば、クリップ、磁気要素、ハンガー、又は当技術分野で公知の何らかの他の手段とすることもできる。
【００５３】
特定の実施形態において、携帯用加熱ロッド１の加熱部３は、容器と直接接触することなくこの容器の内部に配置することができる。このことは、ハンドル部２から拡張することができる複数の脚部８によって可能になる。複数の脚部８は、２つの形態の間で切り替わることができるように構成される。第１の拡張形態では、脚部８は、携帯用加熱ロッド１がテーブルなどの作業面上に配置された場合に、ハンドル部２から離れて広がりこの携帯用加熱ロッドのための支持を提供する。このように、携帯用加熱ロッド１は自己支持型であり、関連容器との直接接触を全く必要としない。第２の格納形態では、脚部８はハンドル部２に格納されるので、加熱ロッド１は、より小型で持ち運びに便利である。これらの形態は、以下により詳細に説明されるさらなる利点を提供する。
【００５４】
特定の実施形態において、３又は４以上の脚部８は、加熱ロッド１が使用されている場合には、図５（ａ）から図５（ｃ）に示されている拡張形態を取り、加熱ロッド１が使用されていない場合には、図５（ｄ）から図５（ｆ）に示されている格納形態を取る。脚部８は、図５（ｃ）に示されているように、加熱ロッド１が格納形態から拡張形態に切り替わる際に、携帯用加熱ロッド１のハンドル部２及び／又は加熱部３から概して横方向で半径方向に離れるように広がる。この脚部は、図５（ｆ）に示されているように、加熱ロッド１が拡張形態から格納形態に切り替わる際に、携帯用加熱ロッド１のハンドル部２及び／又は加熱部３に向かって概して横方向で半径方向に格納される。
【００５５】
さらに図６に示されている拡張形態では、脚部８は、加熱部３の周りに設けられる。脚部８は、加熱部３と平行に又はそれに対して小さい角度（例えば、５°、１０°又は１５°）でハンドル部２から延びる。脚部８は、異なる大きさの容器に適応するように異なる調節可能な横方向間隔で加熱部３から間隔をおいて配置することができる。脚部８は、加熱部３に対するこれらの横方向距離をさらに調整するために、ハンドル部２に対して旋回可能である。脚部８の各々は、縦長の容器に適応するためにさらに伸長することができるように、延長部（図示せず）を備えることができる。
【００５６】
脚部８は、長手方向においてハンドル部２から加熱部３と実質的に同じに又はそれよりもさらに延びる。従って、加熱ロッド１は、図６に示されているように、脚部８が作業面上で支持され、加熱部３が容器６内部の飲料７に少なくとも部分的に浸漬された状態で、容器６の上に配置することができる。
【００５７】
脚部８は、内部に様々な構成要素を収容するための追加の空間を備えることができる。特定の実施形態において、脚部８は、図５（ｃ）及び図７に示されているように、内部にＵＶ光源８１を備えることができる。ＵＶ光源８１は、携帯用加熱ロッド１の加熱部３に向いており、必要な場合に加熱部３の第２のハウジング３１を滅菌するのに使用することができる。特定の実施形態において、脚部８は、図５（ｂ）に示されているように、携帯用加熱ロッド１の加熱部３の内部の電源又はバッテリ３５の代わりに又はそれに加えて、脚部内部に電源又はバッテリ８２を備えることができる。加熱部３の第２のハウジング３１の代わりに脚部８の内部に電源又はバッテリ８２を配置することによって、電源又はバッテリは、加熱部３の発熱体３２からさらに断熱される。また、脚部８は、大容量の電源又はバッテリ３５を取り付けるためのより大きな空間を有することもできる。特定の実施形態において、電源又はバッテリ８２は脚部８の遠位部に設けられているので加熱ロッド１の重心を低くすることができ、加熱ロッド１が作業面上に置かれた際に、加熱ロッド１はより安定する。
【００５８】
図５（ｃ）に示されているように、各脚部８は、外面８３、内面８４、及び随意的にそれらの間の１又は２以上の中間面８５を備える。格納形態では、脚部８の外面８３は、互いに隣接しており、加熱ロッド１の連続的な外面を形成する。連続的な外面は、加熱ロッド１を手で保持することを容易にする。脚部８は、断熱材料から作製することができ、ユーザは、加熱動作が終了した直後でも加熱ロッド１の連続的な外面を容易につかむことができる。脚部８の内面８４は、加熱部３の第２のハウジング３１の外形に適合することができ、内面８４は、加熱部３の第２のハウジング３１を取り囲む。ＵＶ光源８１は、内面８４に取り付けることができる。内面８４は、明色を有して、又は反射性材料でコーティングされて、滅菌用のＵＶ光が、内面８４で反射されて加熱部３の第２のハウジング３１の実質的に全面にあたって滅菌できるようにすることができる。隣接する脚部８の中間面８５は、ＵＶ光が、隣接する脚部８の間の隙間を通って全く漏れ出ることができない程度まで、互いに当接してシールを提供する。
【００５９】
図８は、３つの脚部８が、ハンドル部２から物理的に取り外された場合の加熱ロッド１の分解組み立て図を示している。各脚部８は、近位端に脚部８をハンドル部２に結合するための結合手段８６をさらに備える。特定の実施形態において、結合手段８６は、段付きタブの形態とすることができる。ワイヤは、脚部８からハンドル部２まで結合手段８６を貫通して延び、脚部８内の電源又はバッテリ８２からハンドル部２に電力を伝送すること、及び／又は、例えば、制御回路基板２４とＵＶ光源８１との間の電気的に接続などのハンドル部２と脚部８との間の通信を確立することができる。ハンドル部２は、底面に脚部８のそれぞれの結合手段８６を受け取るための対応するスロット２８を備える。スロット２８は、それぞれの結合手段８６がスロット２８に沿って横方向で半径方向に摺動することを可能にして、脚部８は、拡張形態と格納形態との間で切り替わることができる。特定の実施形態において、また、スロット２８は、それぞれの結合手段８６がハンドル部２に対して旋回することを可能にする。このことは、段付きタブの縁部にフィレットを設けることによって実現することができる。脚部８が格納形態から拡張形態に変形している間の脚部８の摺動及び／又は旋回運動は、スロット２８に沿ってハンドル部２の内部に設けられたばね（図示せず）によって作動させることができるが、拡張形態から格納形態への脚部の移動は、このばねの力に対抗するように手動で作動させることができる。減衰材料をスロット２８内に設けることができ、脚部８は、何らかの横方向位置及び向きで安定することができる。解放ボタン２９をハンドル部上に設けて、格納形態から拡張形態への変形を引き起こすことができる。さらに、ハンドル部２は、その中心に加熱部３を受け取るための穴２７を備える。
【００６０】
特定の実施形態において、３又は４以上の脚部８は、加熱ロッド１が使用されている場合に、図９（ｂ）から図９（ｄ）に示されている拡張形態を取り、加熱ロッド１が使用されていない場合に、図９（ａ）に示されている格納形態を取る。脚部８は、ハンドル部２に沿って概して長手方向に摺動可能であり、それによって、格納形態と拡張形態との間で切り替わる。図９（ａ）に示されている格納形態では、脚部８は、ハンドル部２の外面に格納されてそれに取り付けられ、加熱部３は、ハンドル部２の内部に保持される。この形態は、加熱部３がハンドル部２と長さでオーバーラップするので、非常に小型の構造を可能にする。ハンドル部２に対する脚部８の摺動移動は、図１０（ｂ）に示されているように、脚部８及び加熱部３が、ハンドル部２から長手方向に突出することを可能にする。脚部８及び加熱部３は、異なる高さの容器に適応するように様々なレベルでハンドル部２から突出することができる。また、脚部８は、図１０（ｃ）に示されているように、異なる大きさの容器に適応しかつより適切な安定をもたらすように、様々なレベルでハンドル部２に対して旋回することもできる。牛乳瓶などの縦長の容器の場合、各脚部８は、図１０（ｄ）に示されているように、それぞれの脚部８に対して伸長可能な延長部８７をさらに備えることができる。脚部８の平行移動及び旋回により、加熱ロッド１は、様々な種類の容器に使用することができる。
【００６１】
脚部８は、長手方向にハンドル部２から加熱部３と実質的に同じか又はそれよりも更に延びる。従って、加熱ロッド１は、脚部８が作業面上で支持され、加熱部３が容器の内部の飲料に少なくとも部分的に浸漬された状態で容器の上に置くことができる。
【００６２】
ハンドル部２は、内部に様々な構成要素を収容するための追加の空間を備えることができる。図１０（ａ）及び１０（ｂ）は、ハンドル部２の断面図を示している。連結手段９がハンドル部２の内部に設けられ、この連結手段は、ハンドル部２に沿って長手方向に摺動可能である。連結手段９は、加熱部３を収容してそれを固定するための中央アパーチャ９１と、各々がそれぞれの脚部８を収容してそれを固定するための側方ノッチ９２を有する３又は４以上の円周分岐部とを備える。ノッチ９２は、それぞれの脚部８がハンドル部２に対して旋回することを可能にする。この目的で、各脚部８は、連結手段９のそれぞれの側方ノッチ９２の中に収容されるように本体８８から延びるピン８９を備える。ピン８９は、脚部８がそれぞれのスロット２６に沿って摺動できるように、ハンドル部２の第１のハウジング２１のそれぞれのスロット２６を貫通して延びる。減衰材料は、脚部８を任意の長手方向位置及び向きで安定化できるように、ノッチ９２及び／又はスロット２６の周りに設けることができる。連結手段９を用いると、全ての脚部８及び加熱部３の摺動移動を同期させることができる。特定の実施形態において、連結手段９は、携帯用加熱ロッド１の加熱部３の内部の電源及びバッテリ３５の代わりに又はそれらに加えて、電源又はバッテリ８２を収容するために、ハンドル部２の第１ハウジング２１の内部の空間を別々の領域に分割する。加熱部３の第２のハウジング３１の代わりにハンドル部２の第１のハウジング２１内部に電源又はバッテリを配置することによって、電源又はバッテリは、発熱体３２からさらに断熱される。また、ハンドル部２は、大容量の電源又はバッテリ３５を取り付けるためのより大きな空間を有することもできる。その結果、電源と回路基板との間の電気接続も単純になる。特定の実施形態において、ハンドル部２は、図１０（ａ）に示されているように、内部の第１のハウジング２１の底部にＵＶ光源８１を備えることができる。ＵＶ光源８１は、携帯用加熱ロッドがハンドル部２に格納された場合にこの携帯用加熱ロッド１の加熱部３に向かい合い、必要な場合に、加熱部３の第２のハウジング３１を滅菌するために使用することができる。
【００６３】
操作方法
携帯用加熱ロッド１の制御回路基板２４及び制御インタフェース２２は、操作が容易なユーザインタフェースを提供するように構成される。制御インタフェース２２、具体的には、図２及び図５に示されているタッチスクリーン２２又は４は、ユーザが、例えば、タッピング（例えば、短いタッピング及び長いタッピング）及び／又はジェスチャ（例えば、単一点スライディング及び多点スライディング）によって、携帯用加熱ロッド１を制御することを可能にする。短いタッピングは、一般に、１秒より短い間のタッチスクリーン４のタッピングであり、一方で、長いタッピングは、１秒より長いか又はそれに等しい間のタッチスクリーン４のタッピングである。短いタッピングは、さらに１回、２回（すなわち、ダブルクリック）、３回、又は４回又は５回以上のタッピングに区別することができる。長いタッピングは、さらに１秒、２秒、３秒、又は４秒又は５秒以上の間のタッピングに区別することができる。代替の制御インタフェース２２は、図９に示されているように通常の画面及び物理的ボタンを備える。また、制御インタフェース２２、具体的には、タッチスクリーン４又は通常の画面は、ユーザが、加熱されている飲料の温度、携帯用加熱ロッド１の動作モード（例えば、加熱モード又は保温モード）、バッテリの残容量、バッテリが充電されているか否か、又はそれらの組み合わせなどの、携帯用加熱ロッド１の状態を監視することを可能にする。特定の実施形態において、タッチスクリーン４又は通常の画面は、さらに測定された飲料温度に応じて異なる背景色を表示することができる。例えば、タッチスクリーン４又は通常の画面は、３５℃より低い温度の場合に青色の背景色を表示し、３６℃から４５℃の温度の場合に緑色の背景色を表示し、４６℃から７０℃の温度の場合に黄色の背景色を表示し、７１℃から８５℃の温度の場合にオレンジ色の背景色を表示し、８６℃より高い温度の場合に赤色の背景色を表示することができる。他のカラーパターンが、同様に本開示の意図の範囲内に含まれる。特定の実施形態において、タッチスクリーン４又は通常の画面は、さらに「タッチして加熱」、「タッチして保温」、又はその他の何らかの同様の種類の指示情報など、可能性のある操作の指示情報を表示することができる。さらに、特定の実施形態において、視覚的フィードバックに加えて音声フィードバックを提供することができる。
【００６４】
特定の実施形態において、制御回路基板２４は、ユーザが、タッチスクリーン４を２回短くタップすることによって、図１１（ａ）に示されているように携帯用加熱ロッド１をオンにすることを可能にする。飲料温度は、測定されてタッチスクリーン４上に表示することができる。さらに、制御回路基板２４は、ユーザが、タッチスクリーン４を１回短くタップすることによって、図１１（ｂ）に示されている加熱モード４３を開始し、さらにタッチスクリーン４を１回短くタップことによってその瞬間の温度で図１１（ｃ）に示されている保温モード４４に切り換え、タッチスクリーン４４を３秒間長くタップすることによって、図１１（ｄ）に示されているように携帯用加熱ロッド１をオフにすることを可能にする。他の制御パターン及びシーケンスが、同様に本開示の意図の範囲内に含まれる。
【００６５】
特定の実施形態において、制御回路基板２４は、携帯用加熱ロッド１が、カスタマイズされた飲料温度を記憶することを可能にする。例えば、このカスタマイズされた飲料温度は、携帯用加熱ロッド１が保温モード４４にある間、タッチスクリーン４を１秒間長くタップすることによって制御回路基板２４のメモリに記録することができる。同様に、タッチスクリーン４を２回１秒間長くタップすることによって、カスタマイズされた飲料温度は、取り消すことができる。カスタマイズされた飲料温度が設定されると、携帯用加熱ロッド１は、加熱モード４３において飲料をその温度まで加熱し、次に、その後の動作において自動的に保温モード４４に切り替わることができる。このカスタマイズされた飲料温度は、ユーザが携帯用加熱ロッド１の動作を監視することを不要にすることができる。このことは、特に、母乳を加熱するのに重要であり、それは、過熱が、ＩｇＧ及び／又は母乳内のその他の栄養素を破壊する可能性があるためである。
【００６６】
特定の実施形態において、制御回路基板２４は、スマートフォン又はその他の同様のデバイスによるデータインタフェース２３経由でのユーザ設定プロファイルのダウンロード又は遠隔制御を可能にする。
【００６７】
特定の実施形態において、制御回路基板２４は、さらに携帯用加熱ロッド１が、空の状態での燃損、例えば、加熱部３が飲料に浸漬されることなく、携帯用加熱ロッド１がオンになって、少なくとも１つの発熱体３２が偶発的に作動する場合、又は、携帯用加熱ロッド１の加熱部３が飲料に十分に浸漬されない場合、又は、飲料が加熱されて乾燥して、携帯用加熱ロッド１の加熱部３の大部分が露出する場合を検出することを可能にする。この燃焼状態は、少なくとも１つの温度センサ３６のうちの第１の１又は２以上の温度センサ３６を単独で又は少なくとも１つの温度センサ３６のうちの第２の１又は２以上の温度センサ３６と一緒に用いて検出することができる。例えば、燃損状態は、第１の１又は２以上の温度センサ３６が少なくとも１つの発熱体３２の温度の急速な上昇を測定した場合に検出することができる。このことは、少なくとも１つの発熱体３２から生じた熱が即座に放散されないことを示す。代替的に、燃損状態は、第１の１又は２以上の温度センサ３６によって測定された温度と第２の１又は２以上の温度センサ３６によって測定された温度との間の差分が閾値を超過する場合に検出することができる。燃損状態が検出されると、制御回路基板２４は、携帯用加熱ロッド１を即座にオフにするように構成される。随意的に、制御回路基板２４は、さらに視覚的及び／又は音声警告を出すように構成される。
【００６８】
特定の実施形態において、制御回路基板２４は、バッテリ出力電圧を下げて少なくとも１つの発熱体３２を保温モードで駆動して、省エネルギーを可能にするように構成される。
【００６９】
特定の実施形態において、制御回路基板２４は、脚部８が格納形態に戻ったときに、滅菌のために或る期間（５秒、１０秒、３０秒、又は６０秒など）ＵＶ光源をオンにするように構成される。制御回路基板２４は、さらに脚部８が拡張形態にあるときに、ＵＶ光源をオンにしないように構成することができる。
【００７０】
当業者であれば、本開示を再検討した後、携帯用加熱ロッド１が、他の好適な形状、大きさ、構成、及び配置を有することができることを理解するであろう。本開示は、特定の実施形態に関して説明されているが、当業者に明らかな他の実施形態が、同様に本発明の範囲内に含まれる。従って、本発明の範囲は、添付の特許請求の範囲によってのみ定義されることが意図されている。
【符号の説明】
【００７１】
１  携帯用加熱ロッド
２  ハンドル部
３  加熱部
【図１】
2020533728.tif 000003
【図２】
2020533728.tif 000004
【図３】
2020533728.tif 000005
【図４】
2020533728.tif 000006
【図５】
2020533728.tif 000007
【図６】
2020533728.tif 000008
【図７】
2020533728.tif 000009
【図８】
2020533728.tif 000010
【図９（ａ）】
2020533728.tif 000011
【図９（ｂ）】
2020533728.tif 000012
【図９（ｃ）】
2020533728.tif 000013
【図９（ｄ）】
2020533728.tif 000014
【図１０（ａ）】
2020533728.tif 000015
【図１０（ｂ）】
2020533728.tif 000016
【図１１】
2020533728.tif 000017
【国際調査報告】
2020533728.tif 000018
2020533728.tif 000019